(57)【要約】【要約書】【課題】  ラミネートフィルムをより発展的な結果や効果を出すために、種苗植え等の農業用資材や物流資材として利用出来るようにする。【解決手段】  澱粉質等からなる生分解液体或は生分解液体と汚泥の乾燥粉体を混合液化フイルム吹出し機にて混合生分解液体とした生分解性液体を１５０〜４２０℃とし、この生分解性液体を１００〜３００℃のラミネート室中でラミネート機を使用して生分解性防水フィルム１にし、そこえ汚泥の乾燥粉末２ａが１０〜５０％となる割合にて肥料２ｂと混合した粉体２を１００〜３００℃のラミネート室中でラミネート機を使用して板状に吹き付けて肥料入フィルム３とし、接着剤４にて接着してラミネートした後に乾燥したものである。【選択図】        図１
2005168481.tif 000002
【特許請求の範囲】
【請求項１】
生分解性液体を１５０〜４２０℃とし、この生分解性液体を１００〜３００℃のラミネート室中でラミネート機を使用して５〜３５０ｇ／ｍ２当りの生分解性防水フィルムにし、その一面に接着剤を塗布或は吹き付け等にて設け、そこえ汚泥の乾燥粉末が１０〜５０％となる割合にて肥料と混合した粉体を生分解性防水フィルムに対して、粉体が５〜２００ｇ／ｍ２の範囲で１００〜３００℃のラミネート室中でラミネート機を使用して板状に吹き付けて肥料入フィルムとし、接着剤にて接着してラミネートした後に乾燥するようにしたことを特徴とする農業用ラミネートフィルムの製造方法。
【請求項２】
生分解性液体を５〜３５０ｇ／ｍ２当りの生分解性防水フィルムとし、汚泥の乾燥粉末が１０〜５０％となる割合にて肥料と混合した粉体を５〜２００ｇ／ｍ２の範囲で板状に吹き付けて肥料入フィルムとし、生分解性防水フィルムに肥料入フィルムを接着剤にて接着してラミネートしたことを特徴とする農業用ラミネートフィルム。
【請求項３】
生分解性液体としては、澱粉質等からなる生分解液体或は生分解液体と汚泥の乾燥粉体を混合液化フイルム吹出し機にて混合生分解液体とした請求項１及び請求項２記載の農業用ラミネートフィルムの製造方法及び農業用ラミネートフィルム。
【発明の詳細な説明】
【技術分野】
【０００１】  本発明は、澱粉質等からなる生分解性防水フィルムに汚泥と肥料を混入した肥料入りフィルムをラミネートし、農作物の種苗付け時のシート等の農業用資材や物流資材として用いることが出来る農業用ラミネートフィルムの製造方法及び農業用ラミネートフィルムに関するものである。
【背景技術】
【０００２】  各産業界に於いて、ラミネート機を使用してビニールなどの合成樹脂を基材フィルムとし、この基材フィルムに接着剤を塗布した後に紙等の貼合フィルムを接着したラミネートフィルムが製造されるようになって来た。
【発明の開示】
【発明が解決しようとする課題】
【０００３】  このようにして製造されるラミネートフィルムは、それなりに利用されてその機能を果しているが、それ以上の発展的な結果や効果を期待することが出来ずラミネートフィルムの製造上或はラミネートフィルムの使用上非常に不都合を感じていた。
【課題を解決するための手段】
【０００４】  本発明はこのような不都合を解消するもので、
まず農業用ラミネートフィルムの製造方法について説明する。
澱粉質等からなる生分解液体或は生分解液体と汚泥の乾燥粉体を混合液化フイルム吹出し機にて混合生分解液体とした生分解性液体を１５０〜４２０℃とし、この生分解性液体を１００〜３００℃のラミネート室中でラミネート機を使用して５〜３５０ｇ／ｍ２当りの生分解性防水フィルムにし、その一面に接着剤を塗布或は吹き付け等にて設け、そこえ汚泥の乾燥粉末が１０〜５０％となる割合にて肥料と混合した粉体を生分解性防水フィルムに対して、粉体が５〜２００ｇ／ｍ２の範囲で１００〜３００℃のラミネート室中でラミネート機を使用して板状に吹き付けて肥料入フィルムとし、接着剤にて接着してラミネートした後に乾燥するようにしたものである。
尚、混合生分解液体の生分解液体と汚泥の乾燥粉体の混合割合は通常は１：１であるが必ずしもこの割合に限定するものではなく、使用目的によって割合を変化させても良い。【０００５】  このような製造方法によれば、汚泥の乾燥粉末と肥料を混合した粉体を板状に吹き付けるため、生分解性防水フィルムの厚さに対応して５〜２００ｇ／ｍ２の範囲内での吹き付け調整が容易に行なえ、接着剤にて生分解性防水フィルムと肥料入フィルムを完全接着してラミネートし、容易に剥離せずポリフィルムと同等の強度を持った肥料入りの農業用ラミネートフィルムとすることが出来る。
尚、生分解する時間は、現場で使用する時間に合わせて生分解性防水フィルムの厚みを５〜３５０ｇ／ｍ２の範囲で調整し、それに合わせて肥料入フィルムを５〜２００ｇ／ｍ２の範囲内で調整する。【０００６】  次に農業用ラミネートフィルムについて説明する。
澱粉質等の生分解液体或は生分解液体と汚泥の乾燥粉体を混合した混合生分解液体からなる生分解性液体を５〜３５０ｇ／ｍ２当りの生分解性防水フィルムとし、汚泥の乾燥粉末が１０〜５０％となる割合にて肥料と混合した粉体を５〜２００ｇ／ｍ２の範囲で板状に吹き付けて肥料入フィルムとし、生分解性防水フィルムに肥料入フィルムを接着剤にて接着してラミネートしたものである。
尚、混合生分解液体の生分解液体と汚泥の乾燥粉体の混合割合は通常は１：１であるが必ずしもこの割合に限定するものではなく、使用目的によって割合を変化させても良い。【０００７】  作用について、
農作物の種苗付けには肥料入シートとして用い、肥料入フィルムを下面にして農地に伏せて設ける。
このように農地に伏せて設けても、農業用ラミネートフィルムが縦横共に引張強度を出すため、ポリフィルムと同等の強度となるので使用が容易である。
そして農地に伏せて設けると、生分解して土に戻り混合にて肥料入フィルムに含まれていた肥料が農作物の栄養源となって作用し農作物の生育を促進化させる。
又生ゴミ用などの袋類や物流段ボール等の資材として使用する場合も、使用後は肥料入フィルムを下面にして農地に伏せるよう廃棄すれば肥料シートと同じ結果となる。
【発明の効果】
【０００８】  上述の如く本発明は、汚泥の乾燥粉末と肥料を混合した粉体を生分解性防水フィルムの５〜３５０ｇ／ｍ２当りに対して、粉体を５〜２００ｇ／ｍ２の範囲で肥料フィルムとするため、生分解の時間に合わせての組合せの選択が広い範囲で容易に行なえ、生分解性防水フィルムと肥料入フィルムを完全接着してラミネートし、容易に剥離せず強度も有した農業用ラミネートフィルムを製造することが出来、製造した農業用ラミネートフィルムは農業の種苗付けだけでなく農業用として或は袋類や段ボールなどの物流資材として利用出来るためその利用範囲も広いと共に、ゴミ処理の必要がなくゴミ公害を減少させ良好な環境にすることが出来る等多くの特長があり産業利用上非常に優れた発明である。
【発明を実施するための最良の形態】
【０００９】  澱粉質等からなる生分解液体或は生分解液体と汚泥の乾燥粉体を混合液化フィルム吹出し機にて混合生分解液体とした生分解性液体を１５０〜４２０℃とし、この生分解性液体を１００〜３００℃のラミネート室中でラミネート機を使用して５〜３５０ｇ／ｍ２当りの生分解性防水フィルムにし、その一面に接着剤を塗布或は吹き付け等にて設け、そこえ汚泥の乾燥粉末が１０〜５０％となる割合にて肥料と混合した粉体を生分解性防水フィルムに対して、粉体が５〜２００ｇ／ｍ２の範囲で１００〜３００℃のラミネート室中でラミネート機を使用して板状に吹き付けて肥料入フィルムとし、接着剤にて接着してラミネートした後に乾燥するようにしたものである。
【実施例】
【００１０】  以下本発明の澱粉質等からなる生分解液体からなる生分解性液体を用いた場合の農業用ラミネートフィルムを図面について詳述する。
図中１は澱粉質等からなる生分解性液体を１５０〜４２０℃としこの生分解性液体を１００〜３００℃のラミネート室中でラミネート機Ｂを使用して製造した生分解性防水フィルムであって、そこえ汚泥の乾燥粉末２ａが１０〜５０％となる割合にて肥料２ｂと混合した粉体２を生分解性防水フィルム１の５〜３５０ｇ／ｍ２当りに対して粉体２が５〜２００ｇ／ｍ２の範囲で１００〜３００℃のラミネート室中でラミネート機Ｂを使用して板状に吹き付けて肥料入フィルム３とし、粉体２を吹き付ける前に生分解性防水フィルム１に吹き付けにて設けている接着剤４にて接着してラミネートし、その後に乾燥装置Ｃにて乾燥し農業用ラミネートフィルムＡとしたものである。【００１１】  使用に当っては、肥料入フィルム３を下面にして農作物の種苗植え付け時に農地に伏せて用いると、生分解して土に戻り肥料フィルム３に混合にて含まれていた肥料２ａが栄養源となって農作物の育成を促進化させる。
又、生ゴミ用などの袋類や物流段ボール等の資材として使用する場合も、使用後は肥料入フィルム３を下面にして農地に伏せるよう廃棄すれば肥料シートと混合にて含まれていた肥料２ａが栄養源となって農作物の育成を促進化させ、廃棄処理の心配をする必要がない。
【産業上の利用可能性】
【００１２】  本発明の活用例としては、農作物の種苗植え付け時に肥料入フィルムを下面に向けて農地に伏せ農業用ラミネートフィルムをシートとして使用すると共に、広い範囲で農業用資材としての利用が可能である。
又ゴミ袋や段ボールなどの物流資材として用いる。
【図面の簡単な説明】
【００１３】
【図１】実施例の部分拡大断面図
【図２】実施例の製造過程の概要図
【符号の説明】
【００１４】  １    生分解性防水フィルム
２    粉体
２ａ  汚泥の乾燥粉末
２ｂ  肥料
３    肥料入フィルム
４    接着剤
Ａ    農業用ラミネートフィルム
Ｂ    ラミネート機
Ｃ    乾燥装置
【図１】
2005168481.tif 000003
【図２】
2005168481.tif 000004